【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
原稿台に載置した原稿を照明する光源手段と、該光源手段からの光束により照明された原稿からの光束を反射させる４枚のミラーと、該４枚のミラーで反射された光束を結像させる結像光学系と、該結像光学系の結像位置であって、主走査方向に複数の読取画素を配置した読取手段とを一体的に収納した一体型走査光学系ユニットを副走査方向に移動させて、該原稿の画像情報を読取る画像読取装置において、
該４枚のミラーのうち、少なくとも１つのミラーは、光束が２度以上、入射しており、副走査断面内において、該４枚のミラーの反射面は、結像光学系の光入射面よりも該原稿の読取り位置側の空間内に配置されており、該結像光学系の光入射面に光学的に最も近い位置に配置されたミラーの反射面は、他のミラーの反射面に比べて該原稿台からその法線方向に最も離れた位置に配置されており、前記光束が２度以上入射するミラーの反射面と、前記結像光学系の光入射面に光学的に最も近い位置に配置されたミラーとの反射面は平行であることを特徴とする画像読取装置。
【請求項２】
前記４枚のミラーは第１、第２、第３、第４ミラーより成り、各ミラーは、前記原稿からの光束が該第１ミラーで反射された後、該第２ミラーへ入射し、該第２ミラーで反射された光束が、該原稿と該第１ミラーとの間の光束を交差して通過後、該第３ミラーへ入射し、該第３ミラーで反射された光束が、該原稿と該第１ミラーとの間の光束を再度交差して通過後、更に該第１ミラーと該第２ミラーとの間の光路を交差して通過した後、該第２ミラーへ再度入射し、該第２ミラーで反射された光束が該第４ミラーへ入射し、該第４ミラーで反射された光束が前記結像光学系に入射するように配置されていることを特徴とする請求項１に記載の画像読取装置。
【請求項３】
前記４枚のミラーは第１、第２、第３、第４ミラーより成り、各ミラーは、前記原稿からの光束が該第１ミラーで反射された後、該第２ミラーへ入射し、該第２ミラーで反射された光束が該第３ミラーへ入射し、該第３ミラーで反射された光束が該第１ミラーと該第２ミラーとの間の光路を交差して通過後、該第２ミラーへ再度入射し、該第２ミラーで反射された光束が、該第４ミラーへ入射し、該第４ミラーで反射された光束が前記結像光学系に入射するように配置されていることを特徴とする請求項１に記載の画像読取装置。
【請求項４】
前記第４ミラーと前記結像光学系は、前記原稿台から、その法線方向に前記第１、第２、第３ミラーよりも離れた位置に配置されていることを特徴とする請求項２または３に記載の画像読取装置。
【請求項５】
副走査断面内において、前記原稿台から、その法線方向に最も離れた位置に配置されているミラーの反射面中心から該原稿台までの距離をａ、前記複数のミラーの反射面中心間の副走査方向の最大距離をｂとするとき、
０．６５＜ａ／ｂ＜１．０
ａ＜３０．０ｍｍ
なる条件を満たすことを特徴とする請求項１乃至４のいずれか１項に記載の画像読取装置。
【請求項６】
副走査断面内において、前記原稿台から、その法線方向に最も離れた位置に配置されているミラーの反射面中心から該原稿台までの距離をａ、前記結像光学系を保持する結像光学系鏡筒から該原稿台までの距離をｃとするとき、
０．５＜ｃ／ａ＜０．７
ａ＜３０．０ｍｍ
なる条件を満たすことを特徴とする請求項１乃至５のいずれか１項に記載の画像読取装置。
【手続補正２】
【補正対象書類名】明細書
【補正対象項目名】００１６
【補正方法】変更
【補正の内容】
【００１６】
請求項１の発明の画像読取装置は、原稿台に載置した原稿を照明する光源手段と、該光源手段からの光束により照明された原稿からの光束を反射させる４枚のミラーと、該４枚のミラーで反射された光束を結像させる結像光学系と、該結像光学系の結像位置であって、主走査方向に複数の読取画素を配置した読取手段とを一体的に収納した一体型走査光学系ユニットを副走査方向に移動させて、該原稿の画像情報を読取る画像読取装置において、
該４枚のミラーのうち、少なくとも１つのミラーは、光束が２度以上、入射しており、副走査断面内において、該４枚のミラーの反射面は、結像光学系の光入射面よりも該原稿の読取り位置側の空間内に配置されており、該結像光学系の光入射面に光学的に最も近い位置に配置されたミラーの反射面は、他のミラーの反射面に比べて該原稿台からその法線方向に最も離れた位置に配置されており、前記光束が２度以上入射するミラーの反射面と、前記結像光学系の光入射面に光学的に最も近い位置に配置されたミラーとの反射面は平行であることを特徴としている。
【手続補正３】
【補正対象書類名】明細書
【補正対象項目名】００１７
【補正方法】変更
【補正の内容】
【００１７】
請求項２の発明は請求項１の発明において、前記４枚のミラーは第１、第２、第３、第４ミラーより成り、各ミラーは、前記原稿からの光束が該第１ミラーで反射された後、該第２ミラーへ入射し、該第２ミラーで反射された光束が、該原稿と該第１ミラーとの間の光束を交差して通過後、該第３ミラーへ入射し、該第３ミラーで反射された光束が、該原稿と該第１ミラーとの間の光束を再度交差して通過後、更に該第１ミラーと該第２ミラーとの間の光路を交差して通過した後、該第２ミラーへ再度入射し、該第２ミラーで反射された光束が該第４ミラーへ入射し、該第４ミラーで反射された光束が前記結像光学系に入射するように配置されていることを特徴としている。
【手続補正４】
【補正対象書類名】明細書
【補正対象項目名】００１８
【補正方法】変更
【補正の内容】
【００１８】
請求項３の発明は請求項１の発明において、前記４枚のミラーは第１、第２、第３、第４ミラーより成り、各ミラーは、前記原稿からの光束が該第１ミラーで反射された後、該第２ミラーへ入射し、該第２ミラーで反射された光束が該第３ミラーへ入射し、該第３ミラーで反射された光束が該第１ミラーと該第２ミラーとの間の光路を交差して通過後、該第２ミラーへ再度入射し、該第２ミラーで反射された光束が、該第４ミラーへ入射し、該第４ミラーで反射された光束が前記結像光学系に入射するように配置されていることを特徴としている。
【手続補正５】
【補正対象書類名】明細書
【補正対象項目名】００１９
【補正方法】変更
【補正の内容】
【００１９】
請求項４の発明は請求項２または３の発明において、前記第４ミラーと前記結像光学系は、前記原稿台から、その法線方向に前記第１、第２、第３ミラーよりも離れた位置に配置されていることを特徴としている。
【手続補正６】
【補正対象書類名】明細書
【補正対象項目名】００２０
【補正方法】変更
【補正の内容】
【００２０】
請求項５の発明は請求項１乃至４のいずれか１項の発明において、副走査断面内において、前記原稿台から、その法線方向に最も離れた位置に配置されているミラーの反射面中心から該原稿台までの距離をａ、前記複数のミラーの反射面中心間の副走査方向の最大距離をｂとするとき、
０．６５＜ａ／ｂ＜１．０
ａ＜３０．０ｍｍ
なる条件を満たすことを特徴としている。
【手続補正７】
【補正対象書類名】明細書
【補正対象項目名】００２１
【補正方法】変更
【補正の内容】
【００２１】
請求項６の発明は請求項１乃至５のいずれか１項の発明において、副走査断面内において、前記原稿台から、その法線方向に最も離れた位置に配置されているミラーの反射面中心から該原稿台までの距離をａ、前記結像光学系を保持する結像光学系鏡筒から該原稿台までの距離をｃとするとき、
０．５＜ｃ／ａ＜０．７
ａ＜３０．０ｍｍ
なる条件を満たすことを特徴としている。
【手続補正８】
【補正対象書類名】明細書
【補正対象項目名】００２２
【補正方法】削除
【補正の内容】
【手続補正９】
【補正対象書類名】明細書
【補正対象項目名】００６５
【補正方法】変更
【補正の内容】
【００６５】
本実施例では、原稿101からの光束が第１ミラー204ａで反射された後、第２ミラー204ｂへ入射し、第２ミラー204ｂで反射された光束が、第３ミラー204ｃへ入射するように各ミラーを配置している。更に第３ミラー204ｃで反射された光束が、第１ミラー204ａと第２ミラー204ｂとの間の光路を交差して通過後、第２ミラー204ｂへ再度入射するように各ミラーを配置している。更に第２ミラー204ｂで反射された光束が第２ミラー204ｂと平行な第４ミラー204ｄへ入射するように各ミラーを配置している。更に第４ミラー204ｄで反射された光束が結像光学系106に入射するように各ミラーを配置している。